【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
従来の変異shrunken-2ハイブリッド植物、植物、植物材料または種子と比較して強化された生長力と、従来の変異sugary-1またはshrunken-2iハイブリッド植物、植物、植物材料若しくは種子と比較して強化された、最も食用に適した段階後の一定期間にわたって糖質を保持する能力を含む、一つ以上の更なる望ましい特徴と、を有するハイブリッド植物、植物、植物材料または種子を作製する方法であって、あらゆる適切な順序で以下のステップ、すなわち、
(a)任意に一つ以上の分子マーカーを使用して、一つ以上の所望の変異対立遺伝子を単独又は組合わせでそのゲノムに含むインブレッド植物系統を同定するステップ、
(b)変異shrunken-2i対立遺伝子をそのゲノムに含む雌性親植物系統と組合せて遺伝的背景として使用するための所望の遺伝子型を有する、一つ以上の雌性準同質遺伝子植物系統を作製するステップ、
(c) 任意選択で一つ以上の分子マーカーを使用して、変異shrunken-2i対立遺伝子を、前記ステップ(b)の所望の遺伝的背景を有する前記雌性準同質遺伝子植物系統のゲノムに組み込む、前記所望の遺伝的背景がsu1su1 se1se1 sh2sh2、su1su1 se1se1または、別の望ましい遺伝的背景であることを特徴とするステップ、
(d)Su1Su1 sh2 sh2の遺伝的背景または一つ以上の他の好ましい変異対立遺伝子の遺伝的背景に組み込まれた変異shrunken-2i対立遺伝子を、単独で又は組み合わせでゲノムに有している前記ステップ(c)の雌性準同質遺伝子植物系統を選択するステップ、
(e)変異shrunken-2i対立遺伝子をゲノムに含まず、トリプルホモ接合劣性胚乳対立遺伝子の組み合わせをゲノムに含む雄性植物系統であって、前記トリプルホモ接合劣性胚乳対立遺伝子の組み合わせは、su1su1 se1se1 sh2sh2の組合せ、または一つ以上の栽培者および消費者の何れか一方もしくは両者に望ましい特徴を有するハイブリッド植物を与える、高いまたは強化された食感品質を有するハイブリッド植物を提供することができる他のトリプルホモ接合劣性胚乳対立遺伝子の組合せをゲノムに有している雄性植物系統と、前記選択された前記ステップ(d)の雌性改変準同質遺伝子植物系統とを交雑する、ステップ、
(f)ステップ（d）、ステップ（e）または両方のステップ（d）およびステップ（e）の植物によって作製される種子または穀粒のなめらかさ、ふくらみまたは相対的重量またはこれらの組合せを含む特徴について物理的外観を検討する、任意のステップ、
(g)ステップ（d）、ステップ（e）または両方のステップ（d）およびステップ（e）の植物により作製される種子または穀粒について、暖温、低温、または暖温及び低温の、研究室、フィールド、または研究室及びフィールドの発芽のうちの一つ又は複数を実施し、前記種子又は穀粒が一つ以上の栽培者または消費者に望ましい特徴またはそれらの組み合わせを有することを検査する、任意のステップ、および
（h）ステップ（d）、ステップ（e）、またはステップ（d）およびステップ（e）の両方の植物によって作製される種子または穀粒から栽培される植物または植物部位またはこれらの組み合わせについて、一つ以上の味、果皮の柔らかさ、又はその他に関する官能試験を実施し、それらの味、果皮の柔らかさまたは他の官能的特徴、またはこれらの組み合わせを決定する、任意のステップ
を含み、
前記ハイブリッド植物、植物、植物材料または種子は、従来の変異shrunken-2ハイブリッド植物、植物、植物材料または種子と比較して強化された生長力を有し、及び、
前記ハイブリッド植物、植物、植物材料、または種子は、従来の変異sugary-1またはshrunken-2iハイブリッド植物、植物材料または種子と比較して、その最も食用に適した段階直後の一定期間の糖の保持能力が強化されていることを特徴とする方法。
【請求項２】
前記ステップ(a)の前記所望の変異対立遺伝子がsugary-1、sugary enhancer-1、shrunken-2、又は他の胚乳変異対立遺伝子またはこれらの組合せである、請求項１に記載の方法。
【請求項３】
前記ステップ(b)の前記雌性準同質遺伝子植物系統が、以下のトリプル対立遺伝子の組合せ、
(i) Su1Su1 Se1Se1 sh2sh2、
(ii) Su1Su1 se1se1 sh2sh2、または
(iii) su1su1 se1se1 sh2sh2、
のうちの1つを含む、請求項２に記載の方法。
【請求項４】
前記トリプル対立遺伝子の組合せがsu1su1 se1se1 sh2sh2である、請求項３に記載の方法。
【請求項５】
su1su1、se1se1またはsh2sh2またはそれらの組合せの遺伝的背景中の前記shrunken-2i変異対立遺伝子を発現する種子または穀粒の存在を確認する、請求項３に記載の方法。
【請求項６】
su1su1 se1se1の遺伝的背景中の前記shrunken-2i変異対立遺伝子を発現する種子または穀粒の存在を確認する、請求項５に記載の方法。
【請求項７】
植えられた種子または穀粒によって生じた植物の検定交雑は、遺伝子確認されたインブレッドの、su1su1、se1se1、sh2sh2またはその組合せをもたらす、請求項６に記載の方法。
【請求項８】
前記遺伝子確認されたインブレッドの、分子マーカー遺伝子確認を実施する、請求項７に記載の方法。
【請求項９】
前記選択された雌性準同質遺伝子植物系統を、su1su1 se1se1 sh2sh2の組合せのトリプルホモ接合劣性対立遺伝子の組み合わせ、または一つ以上の栽培者および／または消費者に望ましい特徴を有するハイブリッド植物を与える、高いまたは強化された食感品質を有するハイブリッド植物を提供することができる他のトリプルホモ接合劣性対立遺伝子の組合せをゲノムに有している雄性系統と交雑させる、請求項８に記載の方法。
【請求項１０】
前記雄性系統がsu1su1 su1su1 sh2sh2のトリプルホモ接合劣性対立遺伝子の組合せを有する請求項９に記載の方法。
【請求項１１】
前記ステップ（d）、前記ステップ（e）または両方の前記ステップ（d）および前記ステップ（e）の植物によって作製した種子または穀粒のなめらかさ、ふくらみまたは相対重量またはこれらの組み合わせの特徴について、物理的外観を検討する請求項１０に記載の方法。
【請求項１２】
前記ステップ（d）、前記ステップ（e）または両方の前記ステップ（d）および前記ステップ（e）の植物により作製される種子または穀粒の、暖温、低温、または暖温及び低温の発芽を実施し、前記種子の強化された発芽、苗の発生、または植物成長、若しくはその組合せ、または最も食用に適した段階後の一定期間にわたって糖質を保持する強化された能力、若しくはこれら両方を有することを検査する、請求項１０に記載の方法。
【請求項１３】
前記ステップ（d）、前記ステップ（e）、または前記ステップ（d）および前記ステップ（e）の両方の植物によって作製される種子または穀粒から栽培される植物または植物部位またはこれらの組み合わせについて、一つ以上の味、果皮の柔らかさ、又はその他に関する官能試験を実施し、それら味、果皮の柔らかさ、又はその他の官能特徴、又はこれらの組み合わせを決定する、請求項１０に記載の方法。
【請求項１４】
食用の植物、植物材料、種子または穀粒を作製する、請求項１に記載の方法。
【請求項１５】
作物植物、植物材料、種子または穀粒を作製する、請求項１４に記載の方法。
【請求項１６】
作物植物、植物材料、種子または穀粒を作製する、請求項１０に記載の方法。
【請求項１７】
前記作物が穀物作物である、請求項１５に記載の方法。
【請求項１８】
前記作物が穀物作物である、請求項１６に記載の方法。
【請求項１９】
前記穀物作物がZea maysに分類される、請求項１７に記載の方法。
【請求項２０】
前記穀物作物がZea maysに分類される、請求項１８に記載の方法。
【請求項２１】
前記穀物作物がZea mays，var. rugosaに分類される、請求項１９に記載の方法。
【請求項２２】
前記穀物作物がZea mays，var. rugosaに分類される、請求項２０に記載の方法。
【請求項２３】
従来の変異sugary-1またはshrunken-2iハイブリッド植物、植物、植物材料または種子と比較すると、前記ハイブリッド植物、植物、植物材料または種子が、最も食用に適した段階直後の７日間にわたって糖質を保持する強化された能力を有する、請求項２１に記載の方法。
【請求項２４】
従来の変異sugary-1またはshrunken-2iハイブリッド植物、植物、植物材料または種子と比較すると、前記ハイブリッド植物、植物、植物材料または種子が、最も食用に適した段階直後の７日間にわたって糖質を保持する強化された能力を有する、請求項２２に記載の方法。
【請求項２５】
スイートコーンハイブリッド ACX SS 7501Yを作製する、請求項２２に記載の方法。
【請求項２６】
スイートコーンハイブリッド ACX SS 7078Yを作製する、請求項２２に記載の方法。
【請求項２７】
スイートコーンハイブリッド ACX SS 7403RYを作製する、請求項２２に記載の方法。
【請求項２８】
従来の変異shrunken-2ハイブリッド植物、植物、植物材料または種子と比較して強化された生長力、および従来の変異sugary-1またはshrunken-2i植物、植物材料または種子と比較して強化された、最も食用に適した段階後の一定期間にわたって糖質を保持する能力の、両方を有するハイブリッド植物、植物、植物材料または種子を作製する方法であって、一つ以上の分子マーカーを使用して、前記ハイブリッド植物、植物、植物材料または種子のゲノムに、変異shrunken-2i対立遺伝子をsu1su1 se1se1 遺伝的背景中に組み込むことを構成する方法。
【請求項２９】
従来の変異shrunken-2ハイブリッド植物、植物、植物材料または種子と比較して強化された生長力と、従来の変異sugary-1またはshrunken-2iハイブリッド植物、植物、植物材料または種子と比較して強化された、最も食用に適した段階後の一定期間にわたって糖質を保持する能力を含む、一つ以上の他の望ましい特徴と、を有するハイブリッド植物、植物、植物材料または種子を作製する方法であって、あらゆる適切な順序で以下のステップ、すなわち、
(a)任意に一つ以上の分子マーカーを使用して、一つ以上の所望の変異対立遺伝子を単独又は組合わせでそのゲノムに含むインブレッド植物系統を同定するステップ、
(b) 変異shrunken-2i対立遺伝子をそのゲノムに含む雌性親植物系統と組合せて遺伝的背景として使用するための所望の遺伝子型を有する、一つ以上の雌性準同質遺伝子植物系統を作製するステップ、
(c) 任意選択で一つ以上の分子マーカーを使用して、変異shrunken-2i対立遺伝子を、前記ステップ(b)の所望の遺伝的背景を有する前記雌性準同質遺伝子植物系統のゲノムに組み込む、前記所望の遺伝的背景がsu1su1 se1se1 sh2sh2、su1su1 se1se1または、別の望ましい遺伝的背景であることを特徴とするステップ、
(d)Su1Su1 sh2 sh2の遺伝的背景または一つ以上の他の好ましい変異対立遺伝子の遺伝的背景に組み込まれた変異shrunken-2i対立遺伝子を、単独で又は組み合わせでゲノムに有している前記ステップ(c)の雌性準同質遺伝子植物系統を選択するステップ、
(e) 変異shrunken-2i対立遺伝子をゲノムに含まず、トリプルホモ接合劣性胚乳対立遺伝子の組み合わせをゲノムに含む雄性植物系統であって、前記トリプルホモ接合劣性胚乳対立遺伝子の組み合わせは、su1su1 se1se1 sh2sh2の組合せ、または一つ以上の栽培者および消費者の何れか一方もしくは両者に望ましい特徴を有するハイブリッド植物を与える、高いまたは強化された食感品質を有するハイブリッド植物を提供することができる他のトリプルホモ接合劣性胚乳対立遺伝子の組合せをゲノムに有している雄性植物系統と、前記選択された前記ステップ(d)の雌性改変準同質遺伝子植物系統とを交雑する、ステップ、
(f)ステップ（d）、ステップ（e）または両方のステップ（d）およびステップ（e）の植物によって作製される種子または穀粒のなめらかさ、ふくらみまたは相対的重量またはこれらの組合せを含む特徴について物理的外観を検討する、任意のステップ、
(g)ステップ（d）、ステップ（e）または両方のステップ（d）およびステップ（e）の植物により作製される種子または穀粒について、暖温、低温、または暖温及び低温の、研究室、フィールド、または研究室及びフィールドの発芽のうちの一つ又は複数を実施し、前記種子又は穀粒が一つ以上の栽培者または消費者に望ましい特徴またはそれらの組み合わせを有することを検査する、任意のステップ、および
（h）ステップ（d）、ステップ（e）、またはステップ（d）およびステップ（e）の両方の植物によって作製される種子または穀粒から栽培される植物または植物部位またはこれらの組み合わせについて、一つ以上の味、果皮の柔らかさ、又はその他に関する官能試験を実施し、それらの味、果皮の柔らかさまたは他の官能的特徴、またはこれらの組み合わせを決定する、任意のステップ
からなり、
前記ハイブリッド植物、植物、植物材料または種子は、従来の変異shrunken-2ハイブリッド植物、植物、植物材料または種子と比較して強化された生長力を有し、
前記ハイブリッド植物、植物、植物材料、または種子は、従来の変異sugary-1またはshrunken-2iハイブリッド植物、植物材料または種子と比較して、その最も食用に適した段階直後の一定期間の糖の保持能力が強化されていることを特徴とする方法。
【請求項３０】
一つ以上の好ましい特徴を植物に与える一つ以上の追加のホモ接合劣性変異対立遺伝子の遺伝的背景中の変異shrunken-2i対立遺伝子を含んでいるゲノムを含む植物であって、該植物は、従来の変異shrunken-2植物と比較すると強化された生長力、および、従来の変異sugary-1またはshrunken-2i植物と比較すると強化された最も食用に適した段階の一定期間にわたって糖質を保持する能力を含む一つ以上の他の有益な特徴を付与されたことを特徴とする植物。
【請求項３１】
前記他の変異対立遺伝子が、sugary-1、sugary enhancer-1、shrunken-2、又はその他の変異胚乳対立遺伝子またはその組合せである、請求項３０に記載の植物。
【請求項３２】
前記遺伝的背景がsu1su1, se1se1若しくはsh2sh2またはその組合せである、請求項３１に記載の植物。
【請求項３３】
前記遺伝的背景がsu1su1 se1se1である、請求項３２に記載の植物。
【請求項３４】
前記植物がゲノム内に、su1su1 se1se1遺伝的背景中の変異shrunken-2i対立遺伝子を含む、請求項３３に記載の植物。
【請求項３５】
前記植物が作物植物である、請求項３０に記載の植物。
【請求項３６】
前記植物が作物植物である、請求項３４に記載の植物。
【請求項３７】
前記作物が穀物作物である、請求項３５に記載の植物。
【請求項３８】
前記作物が穀物作物である、請求項３６に記載の植物。
【請求項３９】
前記穀物植物がZea maysに分類される、請求項３７に記載の植物。
【請求項４０】
前記穀物植物がZea maysに分類される、請求項３８に記載の植物。
【請求項４１】
前記穀物作物がZea mays，var. rugosa.に分類される、請求項３９に記載の植物。
【請求項４２】
前記穀物作物がZea mays, var. rugosa.に分類される、請求項４０に記載の植物。
【請求項４３】
前記植物が従来の変異sugary-1またはshrunken-2i植物と比較すると強化された、最も食用に適した段階直後の７日間にわたって糖質を保持する能力を有する、請求項４１に記載の植物。
【請求項４４】
前記植物が従来の変異sugary-1またはshrunken-2i植物と比較すると強化された、最も食用に適した段階直後の７日間にわたって糖質を保持する能力を有する、請求項４２に記載の植物。
【請求項４５】
前記植物が、スイートコーンハイブリッド ACX SS 7501Yである、請求項４２に記載の植物。
【請求項４６】
前記植物が、スイートコーンハイブリッド ACX SS 7078Yである、請求項４２に記載の植物。
【請求項４７】
前記植物が、スイートコーンハイブリッド ACX SS 7403RYである、請求項４２に記載の植物。
【請求項４８】
従来の変異shrunken-2植物と比較して強化された生長力を有し、且つ、従来の変異sugary-1またはshrunken-2i植物と比較すると強化されている、その最も食用に適した段階後の一定期間にわたって糖質を保持する能力を含む、一つ以上の他の好ましい特徴を有する、請求項１の方法によって作製される植物。
【請求項４９】
従来の変異shrunken-2植物と比較して強化された生長力を有し、且つ、従来の変異sugary-1またはshrunken-2i植物と比較すると強化されている、その最も食用に適した段階後の一定期間を超えて糖質を保持する能力を含む、一つ以上の他の好ましい特徴を有する、請求項２９の方法によって作製される植物。
【請求項５０】
一つ以上の好ましい特徴を植物種子に与える一つ以上の追加のホモ接合劣性変異対立遺伝子の遺伝的背景中のshrunken-2i変異対立遺伝子を含んでいるゲノムを含む植物種子であって、該植物は、従来の変異shrunken-2植物種子と比較すると強化された生長力、および、従来の変異sugary-1またはshrunken-2i植物種子と比較すると強化された最も食用に適した段階の一定期間にわたって糖質を保持する能力を含む一つ以上の他の有益な特徴を付与されたことを特徴とする植物種子。
【請求項５１】
前記追加の変異対立遺伝子が、sugary-1、sugary enhancer-1、shrunken-2、または他の変異胚乳対立遺伝子またはその組合せである、請求項５０に記載の植物種子。
【請求項５２】
前記遺伝的背景が、su1su1、se1se1またはsh2sh2またはその組合せである、請求項５１に記載の植物種子。
【請求項５３】
前記遺伝的背景が、su1su1 se1se1である、請求項５２に記載の植物種子。
【請求項５４】
前記植物種子が、ゲノム内に、su1su1 se1se1遺伝的背景中のshrunken-2i変異対立遺伝子を含む、請求項５３に記載の植物種子。
【請求項５５】
前記植物種子が作物植物により生成された種子である、請求項５０に記載の植物種子。
【請求項５６】
前記植物種子が作物植物により生成された種子である、請求項５４に記載の植物種子。
【請求項５７】
前記作物植物が穀物作物である、請求項５５に記載の植物種子。
【請求項５８】
前記作物植物が穀物作物である、請求項５６に記載の植物種子。
【請求項５９】
前記穀物作物がZea maysに分類される、請求項５７に記載の植物種子。
【請求項６０】
前記穀物作物がZea maysに分類される、請求項５８に記載の植物種子。
【請求項６１】
前記穀物作物がZea mays，var.rugosa.に分類される、請求項５９に記載の植物種子。
【請求項６２】
前記穀物作物がZea mays，var.rugosa.に分類される、請求項６０に記載の植物種子。
【請求項６３】
前記植物種子が従来の変異sugary-1またはshrunken-2i植物種子と比較して強化された、最も食用に適した段階直後の７日間にわたって糖質を保持する能力を有する、請求項６１に記載の植物種子。
【請求項６４】
前記植物種子が従来の変異sugary-1またはshrunken-2i植物種子と比較して強化された、最も食用に適した段階直後の７日間にわたって糖質を保持する能力を有する、請求項６２に記載の植物種子。
【請求項６５】
前記植物種子がスイートコーンハイブリッドACX SS 7501Yにより生成される、請求項６２に記載の植物種子。
【請求項６６】
前記植物種子がスイートコーンハイブリッドACX SS 7078Yにより生成される、請求項６２に記載の植物種子。
【請求項６７】
前記植物種子がスイートコーンハイブリッド ACX SS 7403RYにより生成されたことを特徴とする、請求項６２に記載の植物種子。
【請求項６８】
従来の変異shrunken-2植物種子と比較して強化された生長力を有し、且つ、従来の変異sugary-1またはshrunken-2i植物種子と比較して強化された、最も食用に適した段階後の一定期間にわたって糖質を保持する能力を含む、一つ以上の他の好ましい特徴を有する、請求項１の方法によって作製される植物種子。
【請求項６９】
従来の変異shrunken-2植物種子と比較して強化された生長力を有し、且つ、従来の変異sugary-1またはshrunken-2i植物種子と比較して強化された、最も食用に適した段階後の一定期間にわたって糖質を保持する能力を含む、一つ以上の他の好ましい特徴を有する、請求項２９の方法によって作製される植物種子。
【請求項７０】
一つ以上の好ましい特徴を植物材料に与える一つ以上の追加のホモ接合劣性変異対立遺伝子の遺伝的背景中の変異shrunken-2i対立遺伝子を含んでいるゲノムを含む植物材料であって、該植物材料は、従来の変異shrunken-2植物と比較すると強化された生長力、および、従来の変異sugary-1またはshrunken-2i植物と比較すると強化された最も食用に適した段階の一定期間にわたって糖質を保持する能力を含む一つ以上の他の有益な特徴を付与されたことを特徴とする植物材料。
【請求項７１】
従来の変異shrunken-2植物材料と比較して強化された生長力を有し、且つ、従来の変異sugary-1またはshrunken-2i植物材料と比較すると強化された、最も食用に適した段階後の一定期間にわたって糖質を保持する能力を含む一つ以上の他の好ましい特徴を有する、請求項１の方法によって作製される、植物材料。
【請求項７２】
従来の変異shrunken-2植物種子と比較して強化された生長力を有し、且つ、従来の変異sugary-1またはshrunken-2i植物種子と比較して強化された、最も食用に適した段階後の一定期間にわたって糖質を保持する能力を含む一つ以上の他の好ましい特徴を有する、請求項２９の方法によって作製される、植物材料。